(57)【要約】【課題】着脱が容易で、かつ着用者の体格の違いに適正に対応できる首掛けストラップを提供する。【解決手段】帯状体２の両端部に互いに連結可能な一対の連結具４，５を取り付け、これら一対の連結具４，５の少なくとも一方には、帯状体２を挿通可能な帯状体取付穴４４，４５，４６を複数形成し、この帯状体取付穴４４，４５，４６に帯状体２を挿通することにより帯状体２に取り付けるようにし、帯状体取付穴４４，４５，４６に通す帯状体２の位置を変えることにより、ループ状にしたときの帯状体２の有効長を変更できるようにする。【選択図】　図１
2004057289.tif 000002
【特許請求の範囲】
【請求項１】
帯状体の両端部に互いに連結可能な一対の連結具が取り付けられ、これら一対の連結具の少なくとも一方は、帯状体を挿通可能な帯状体取付穴が複数形成され、この帯状体取付穴に帯状体を挿通することにより、帯状体の有効長さを調節可能にして取り付けることができるようにしたことを特徴とする首掛けストラップ。
【発明の詳細な説明】
【０００１】
【発明の属する技術分野】
この発明は、名札、身分証明書、チケット等を首から吊り下げるのに適した首掛けストラップに関する。
【０００２】
【従来の技術】
首掛けストラップは、ループ状をした帯状体に名札等を保持するホルダーが取り付けられており、帯状体を首に掛けて名札等を吊り下げるようになっている。この種の首掛けストラップでは、帯状体の周長は頭部の外周よりも少し長い程度であるから、着脱の際に帯状体に頭部を通すのが容易でなかった。そこで、着脱の容易化を図るため、帯状体の適当箇所に互いに連結可能な一対の連結具を設け、これら一対の連結具を外すことにより帯状体のループを解除できるようにしたものがある。また、この一対の連結具は、必要以上の負荷が加わると帯状体のループが外れる構造になっており、何かの移動物体等に名札が巻き込まれて事故が起きないように安全機能を発揮できるように構成されている。
【０００３】
【発明が解決しようとする課題】
しかしながら、上記帯状体のループを解除できるようにした首掛けストラップであっても、ループ状にしたときの帯状体の有効長を調節する機能は有していなかった。このため、着用者の体格の違いにより、必ずしも名札等が適正高さに位置するとは限らず、イベント会場等の使用場所の状況によっては、目線位置がずれて名札としての機能が充分に発揮できなかったり、使用者に対する見た目上の美観が損なわれたりするといった問題が生じていた。また、事故防止のための安全機能を連結具が備えていても、帯状体の長さが使用者に対して適性でないため、反ってかかる機能が発揮されにくくなる事態もあった。そこで、これらの問題点を解決することが本発明の課題であり、これを達成するために次に示す技術的手段を講じた。
【０００４】
【課題を解決するための手段】
すなわち、本発明にかかる首掛けストラップは、帯状体の両端部に互いに連結可能な一対の連結具が取り付けられ、これら一対の連結具の少なくとも一方は、帯状体を挿通可能な帯状体取付穴が複数形成され、この帯状体取付穴に帯状体を挿通することにより帯状体に取り付けることを特徴としている。この構成であると、帯状体取付穴に通す帯状体の位置を変えることにより、ループ状にしたときの帯状体の有効長を任意に変更調整することができる。
【０００５】
【発明の実施の形態】
図１は本発明による首掛けストラップの一例を表している。この首掛けストラップ１は、布等で成形された細長い帯状体２の中央部に名札Ｐ等を保持するクリップ型のホルダー３を取り付け、また該帯状体の両端部に互いに連結可能な一対で一組の連結具４，５を取り付けてなる。符号６は、２本に折り重ねた帯状体２に沿って摺動自在なスライダである。
【０００６】
各連結具の構造を図２及び図３に示す。一方の連結具（「第１の連結具」とする）４には、同方向に突出する３本の突起４１，４２，４３が設けられている。外側２本の突起４１，４３は、中央部よりも先端側が外側に張出した矢印形をしている。また、他方の連結具（「第２の連結具」とする）５には、前記突起４１，４２，４３を差し込む差込穴５１が形成されている。この差込穴５１の中間部は該穴の方向と交差する側に開口（５２，５３）している。
【０００７】
第１の連結具４の突起４１，４２，４３を第２の連結具５の差込穴５１に差し込むと、外側の突起４１，４３は差込穴５１の内壁に押されて内側に撓みながら挿入され、突起４１，４３の張出部が差込穴５１の開口部５２，５３まで達した時点で、内壁の規制がなくなり突起４１，４３の撓みが解除される。この連結状態では、図４に示すように、突起４１，４３の張出部が差込穴５１の開口部５２，５３の端に係合しているので、両連結具４，５が外れなくなる。連結を外す場合は、突起４１，４３を内側に押し込んで係合を解除した状態で、突起４１，４２，４３を差込穴５１から引き抜けばよい。このように連結具４，５に対して一定以上の負荷が加わると、係合状態が解除され安全機能が発揮される。
【０００８】
第一の連結具４には、帯状体を挿通過可能な複数（図示例では３個）の帯状体取付穴４４，４５，４６が設けられている。帯状体への取付方法は、例えば図５に示すように、帯状体２を取付穴４４に下から挿通し、次いで取付穴４５に上から挿通し、さらに取付穴４６に下から挿通する。これにて、第一の連結具４と帯状体２との摩擦作用で、帯状体２が各取付穴４４，４５，４６から抜けることはない。各取付穴４４，４５，４６の開口端部Ａ，Ｂ，Ｃを鋭角にしておけば、さらに抜けにくくなる。帯状体２の向きを取付穴４４，４５，４６の向きと平行にして帯状体２を取付穴４４，４５，４６に対して移動させ、取付穴４４，４５，４６に通す帯状体２の位置を変えることにより、両連結具４，５を連結してループ状にしたときの帯状体２の有効長を変更できる。この有効長の変更作業は容易である。
【０００９】
また、第２の連結具５は、次のように帯状体２に取り付けられている。すなわち、突起４１，４２，４３を挿入する側と反対側から帯状体２の端部を差込穴５１に挿入し、その挿入端部を熱で溶かして塊状にすることにより、差込穴５１から帯状体２が抜けなくしている。したがって、第２の連結具５には、帯状体２をループ状にしたときの有効長を変更できる機能はない。
【００１０】
なお、図示例では、一方の連結具にだけ帯状体２をループ状にしたときの有効長を変更できる機能を設けたが、他方の連結具にも同様の機能を持たせてもよい。
【００１１】
使用に際しては、ホルダー３で保持した名札Ｐ等が身体の前にくるようにして、首の後側に回した一対の連結具４，５を連結する。これにより、ループ状になった帯状体２が首に掛けられ、その帯状体２に名札Ｐ等が吊り下げられた状態となる。名札Ｐ等の高さが不適正である場合は、帯状体２の有効長を変更すればよい。また、スライダ６の位置をずらすことにより、帯状体２の首への締め具合を調節することができる。このようにして帯状体２の有効長を変更調整できるので、使用者の体格に応じて名札Ｐ等が相手から見やすい適切な位置に吊り下げることができるとともに、連結具の安全機能をより発揮しやすい長さに調整することができる。
【００１２】
【発明の効果】
以上に説明したように、この発明の首掛けストラップは、少なくとも一方の連結具を、複数形成された帯状体取付穴に帯状体を挿通して帯状体に取り付ける構成とすることにより、一対の連結具を連結して帯状体をループ状にしたときの帯状体の有効長を簡単に変更することが可能となり、名札、身分証明書、チケット等が適正高さに保持されるよう着用者の体格の違い等に容易に対応することができる。また、連結具に安全機能を有する場合には、当該機能を発揮しやすい有効長に適正に調整することもできる。
【図面の簡単な説明】
【図１】首掛けストラップの斜視図である。
【図２】第１の連結具の（ａ）正面図、及び（ｂ）平面図である。
【図３】第２の連結具の（ａ）正面図、（ｂ）平面図、及び（ｃ）側面図である。
【図４】第１の連結具と第２の連結具との連結状態を示す平面図である。
【図５】第１の連結具への帯状体の取付状態を示す正面断面図である。
【符号の説明】
１　首掛けストラップ
２　帯状体
３　ホルダー
４　第１の連結具
５　第２の連結具
４４，４５，４６　帯状体取付穴
【図１】
2004057289.tif 000003
【図２】
2004057289.tif 000004
【図３】
2004057289.tif 000005
【図４】
2004057289.tif 000006
【図５】
2004057289.tif 000007